(57)【要約】【課題】風切り音を生じさせずにレジスタ本体の空気吹出し口をパネル内に格納または突き出し動作することができるポップアップ式の空気吹出調整用レジスタを提供する。【解決手段】空気吹出し口２０を突き出し可能に配設されたレジスタ本体１と、レジスタ本体の回動を駆動するアクチュエータ９と、レジスタ本体１の突き出しと格納とを操作する操作スイッチ２３と、を備える。操作スイッチ２３が操作されたとき、アクチュエータ９を駆動制御してレジスタ本体１を突き出し側又は格納側に回動させるコントローラ７が設けられる。コントローラ７は、アクチュエータ９がレジスタ本体１を格納する側または突き出し側に駆動する際、レジスタ本体１の空気吹出し口２０の開口面積が狭くなるに応じて、レジスタ本体１の空気吹出し口２０への送風量を低減するように構成される。【選択図】図２
2004182125.tif 000002
【特許請求の範囲】
【請求項１】
空気吹出し口をパネル上に突き出した突出位置と該パネル内に格納した格納位置との間で、回動可能に配設されたレジスタ本体と、該レジスタ本体の回動を駆動するアクチュエータと、該レジスタ本体の突き出しと格納とを操作する操作スイッチと、を備えたポップアップ式の空気吹出調整用レジスタにおいて、
該操作スイッチが操作されたとき、該アクチュエータを駆動制御して該レジスタ本体を突き出し側又は格納側に回動させるコントローラが設けられ、該コントローラは、該アクチュエータが該レジスタ本体を格納する側または突き出し側に駆動する際、該レジスタ本体の空気吹出し口への送風量を低減するように構成されたことを特徴とする空気吹出調整用レジスタ。
【請求項２】
前記レジスタ本体に送風する送風ダクト内にダンパがダンパアクチュエータによりその開度を調整可能に配設され、前記コントローラは、該レジスタ本体の格納または突き出し時、該ダンパアクチュエータを制御して送風量を低減することを特徴とする請求項１記載の空気吹出調整用レジスタ。
【請求項３】
前記レジスタ本体に送風ダクトを通して送風するブロワがその送風量を調整可能に配設され、前記コントローラは、該レジスタ本体の格納時または突き出し時、該ブロワのブロワモータを制御して送風量を低減することを特徴とする請求項１記載の空気吹出調整用レジスタ。
【請求項４】
前記レジスタ本体は支持軸により回動可能に支持され、該支持軸の周りで該レジスタ本体が回動する角度を検出する角度センサが設けられ、前記コントローラは、該角度センサから出力される角度信号に基づき、該ダンパの開度を調整するように該ダンパアクチュエータを制御することを特徴とする請求項２記載の空気吹出調整用レジスタ。
【請求項５】
前記コントローラは、タイマーを有し、前記レジスタ本体の格納時、前記アクチュエータが作動を開始した後、該タイマーの計測時間に基づき、前記ダンパアクチュエータを制御して送風量を徐々に低減するように制御することを特徴とする請求項２記載の空気吹出調整用レジスタ。
【請求項６】
前記コントローラは、前記レジスタ本体の突き出し時、ブロワの送風量を一旦減少させ、該レジスタ本体の空気吹出し口の開口面積が増加するに応じて、該レジスタ本体の空気吹出し口への送風量を徐々に増加させるように制御することを特徴とする請求項３記載の空気吹出調整用レジスタ。
【発明の詳細な説明】
【０００１】
【発明の属する技術分野】
本発明は、自動車の車内等の換気や空調の空気吹出口に使用される空気吹出調整用レジスタに関し、特に必要に応じて空気吹出口がパネル（インストルメントパネル等）内から突き出す構造のポップアップ式の空気吹出調整用レジスタに関する。
【０００２】
【従来の技術】
従来、この種のポップアップ式の空気吹出調整用レジスタとして、吹出し口を有するレジスタフレームが、インストルメントパネルに設けた開口部から突出し可能に、支持軸とブラケットを介して、インストルメントパネルの内側に取り付けられ、そのレジスタフレームを、リンクを介して手動操作により、或いはモータにより支持軸を軸に回動させ、必要に応じて吹出し口をインストルメントパネルから上方に突出すようにしたレジスタが知られている（例えば、特許文献１参照）。
【０００３】
【特許文献１】
実公平２−２８０８８号公報
【０００４】
【発明が解決しようとする課題】
しかしながら、この従来のポップアップ式の空気吹出調整用レジスタは、吹出し口を内側に格納するようにレジスタフレームを回動させたとき、吹出し口から送風した状態で、吹出し口が徐々に狭められ、最後に閉鎖されるため、吹出し口の開口が狭くなった際、そこを通過する送風の風速が大きく上昇し、大きな風切り音が発生する問題があった。
【０００５】
本発明は、上記の点に鑑みてなされたもので、風切り音を生じさせずにレジスタ本体の空気吹出し口をパネル内に格納または突き出し動作することができるポップアップ式の空気吹出調整用レジスタを提供することを目的とする。
【０００６】
【課題を解決するための手段】
上記目的を達成するために、本発明の空気吹出調整用レジスタは、空気吹出し口をパネル上に突き出した突出位置とパネル内に格納した格納位置との間で、回動可能に配設されたレジスタ本体と、レジスタ本体の回動を駆動するアクチュエータと、該レジスタ本体の突き出しと格納とを操作する操作スイッチと、を備えたポップアップ式の空気吹出調整用レジスタにおいて、操作スイッチが操作されたとき、アクチュエータを駆動制御してレジスタ本体を突き出し側又は格納側に回動させるコントローラが設けられ、コントローラは、アクチュエータがレジスタ本体を格納する側または突き出し側に駆動する際、レジスタ本体の空気吹出し口への送風量を低減するように構成されたことを特徴とする。
【０００７】
ここで、請求項２のように、レジスタ本体に送風する送風ダクト内にダンパがダンパアクチュエータによりその開度を調整可能に配設され、上記コントローラは、レジスタ本体の格納時または突き出し時、ダンパアクチュエータを制御して送風量を低減するように構成することができる。
【０００８】
また、請求項３のように、レジスタ本体に送風ダクトを通して送風するブロワがその送風量を調整可能に配設され、コントローラは、レジスタ本体の格納時または突き出し時、ブロワのブロワモータを制御して送風量を低減するように構成することができる。
【０００９】
また、請求項４のように、レジスタ本体は支持軸により回動可能に支持され、支持軸の周りでレジスタ本体が回動する角度を検出する角度センサが設けられ、上記コントローラは、角度センサから出力される角度信号に基づき、ダンパの開度を調整するようにダンパアクチュエータを制御する構成とすることができる。
【００１０】
また、請求項５のように、上記コントローラは、タイマーを有し、レジスタ本体の格納時、アクチュエータが作動を開始した後、タイマーの計測時間に基づき、ダンパアクチュエータを制御して送風量を低減するように制御することができる。
【００１１】
また、請求項６のように、コントローラは、レジスタ本体の突き出し時、ブロワの送風量を一旦減少させ、レジスタ本体の空気吹出し口の開口面積が増加するに応じて、レジスタ本体の空気吹出し口への送風量を徐々に増加させるように制御することができる。
【００１２】
【作用】
このような構成の空気吹出調整用レジスタは、レジスタ本体の空気吹出し口がパネルから突き出した位置にあるとき、レジスタ本体の空気吹出し口をパネル内に格納する場合、操作スイッチを格納側に操作する。操作スイッチを操作すると、コントローラの作動によりポップアック用のアクチュエータが動作して、レジスタ本体がその空気吹出し口を格納する側に回動する。
【００１３】
同時に、コントローラは、ダンパアクチュエータを制御し、ポップアップ用のアクチュエータがレジスタ本体を格納する側に駆動する際、レジスタ本体の空気吹出し口の開口面積が狭くなるに応じて、レジスタ本体の空気吹出し口への送風量を低減するように制御する。これにより、レジスタ本体の空気吹出し口の開口面積が狭くなるに応じて、空気吹出し口への送風量が低減され、空気吹出し口の開口面積が最小となったとき、空気吹出し口への送風量も最小となるから、空気吹出し口で生じやすい風切り音の発生を防止することができる。
【００１４】
同様に、レジスタ本体の空気吹出し口がパネル内に収納された状態から突き出し動作するとき、その開始時にダンパを調整して一旦送風量を減少させ、空気吹出し口の開口面積が増加するに応じて、ダンパを開いて送風量を増加させ、これによって、突き出し時の風切り音の発生を防止することができる。
【００１５】
【発明の実施の形態】
以下、本発明の実施の形態を図面に基づいて説明する。図１はポップアップ式の空気吹出調整用レジスタの格納時の斜視図を示し、図２はその断面構成図を示している。１は空気吹出し口２０を備えたレジスタ本体であり、空調用の送風ダクト４の先端部で、インストルメントパネル等のパネル２の内側に形成された格納部３内に格納され、且つそのパネル２の開口部からポップアップつまり突き出し可能に、支持軸１５を介して回動可能に支持されている。
【００１６】
レジスタ本体１は、上側のカバー部１ａと、カバー部１ａの前部に延設されたベゼル部１ｂと、ベゼル部１ｂの内側に設けられたダクト状のリテーナ５とから構成され、リテーナ５内に矩形筒形の空気吹出し口２０が形成される。また、リテーナ５内の前縁部には前可動ルーバ２１が取り付けられ、その後方には後可動ルーバ２２が、送風方向を調整可能に取り付けられる。
【００１７】
前可動ルーバ２１は、複数の横フィン２１ａを一定の間隔で回動可能に配置し、それらをリンクで相互に連結して構成される。各横フィン２１ａの両側には回動軸が突設され、その回動軸は横軸受部に回動可能に嵌合される。更に、各横フィン２１ａの一方の回動軸の先端に、偏位軸を持つリンク部材が連結され、各偏位軸はリンクバーにより相互に連結され、リンク機構が構成される。
【００１８】
後可動ルーバ２２は、複数の縦フィン２２ａを一定の間隔で回動可能に配置し、それらをリンクバーで相互に連結して構成される。各縦フィン２２ａの上部と下部には回動軸が突設され、それらの回動軸は縦軸受部に回動可能に嵌合される。更に、各縦フィン２２ａの下部には連結軸が突設され、それらの連結軸はリンクバーにより相互に連結される。
【００１９】
前可動ルーバ２１の横フィン２１ａの一枚には、操作ノブ２３が左右横方向に摺動可能に装着され、操作ノブ２３の後部に設けた歯部が、後可動ルーバ２２の縦フィン２２ａに設けた歯車部に噛合する。これにより、操作ノブ２３を上下に操作すると、前可動ルーバ２１が上下にその向きを変え、操作ノブ２３を左右に操作すると、後可動ルーバ２２がその向きを左右に変えて、風向を上下左右に変えることができる。
【００２０】
レジスタ本体１を回動可能に支持する支持軸１５と同軸上のレジスタ本体のボス部に、扇形歯車１６が取り付けられる。そして、ポップアップ用のアクチュエータ（例えばサーボモータ）９が格納部３の外側に取り付けられる。アクチュエータ９の回転軸にはピニオン１７が固定され、そのピニオン１７が扇形歯車１６に噛合し、アクチュエータ９の回転駆動により、レジスタ本体１が支持軸１５を軸に所定の格納位置から突出位置の範囲内で回動する。
【００２１】
さらに、レジスタ本体１の回転角度を検出するために角度センサ１０が設けられる。角度センサ１０は例えば回動側に永久磁石を設けると共に、固定側にその永久磁石の回転角度位置つまり磁気の強さに応じた電圧信号を出力する磁気検出器を設けて構成することができる。
【００２２】
一方、空調用の送風ダクト４内の一部には送風量を調整するためのダンパ１２が設けられ、ダンパ１２は、ダンパアクチュエータ（例えばサーボモータ）６の回転駆動によりその角度を変えて開閉動作し、送風ダクト４の送風量を調整するように構成される。送風ダクト４の末端部には図示しない空調装置のブロワが接続され、冷却或いは加温された空気が送風される。
【００２３】
さらに、ポップアップ用のアクチュエータ９とこのダンパアクチュエータ６の作動を制御するために、コントローラ７が配設される。このコントローラ７の入力側には、レジスタ本体１の突き出しと格納を操作するための操作スイッチ８と、レジスタ本体１の角度を検出する角度センサ１０が接続される。操作スイッチ８は図１に示すように、レジスタ本体１のカバー部１ａ上に、またはパネル２上に配設される。
【００２４】
コントローラ７は、ＣＰＵ、入出力回路、ドライバ回路などから構成され、操作スイッチ８が突き出し側に操作されたとき、ポップアップ用のアクチュエータ９を駆動して、レジスタ本体１を突き出し動作させ、さらに、操作スイッチ８が格納側に操作されたときには、アクチュエータ９を逆方向に駆動して、レジスタ本体１を格納動作させると共に、角度センサ１０から出力される角度信号に基づき、ダンパ１２の開度を徐々に少なくして送風量を徐々に低減するように、ダンパアクチュエータ６を制御するように構成されている。
【００２５】
上記構成の空気吹出調整用レジスタは、自動車の車内のインストルメントパネル等に設けられた開口部の内側で、通風ダクト４の先端部に装着された格納部３に格納及び突出可能に装着される。
【００２６】
図１に示すように、レジスタ本体１がパネル２内に格納された状態にあるとき、操作スイッチ２３を操作すると、コントローラ７は、ポップアック用のアクチュエータ９を駆動制御して、ピニオン１７と扇形歯車１６を回動させ、レジスタ本体１が支持軸１５を軸にして上側に回動し、その空気吹出し口２０をパネル２の開口部から突き出す状態となる（図３、図４）。これにより、送風ダクト４を通して送風される空調装置の空気は、レジスタ本体１の空気吹出し口２０を通して、前方に或いは前可動ルーバ２１、後可動ルーバ２２の向きに応じた方向に吹出し、送風される。
【００２７】
一方、このようにレジスタ本体１の空気吹出し口２０がパネル２から突き出した状態にあるとき、レジスタ本体１の空気吹出し口２０をパネル２内に格納する場合、再度、操作スイッチ８を操作する。コントローラ７がこの操作スイッチ８の操作信号を入力すると、コントローラ７はポップアック用のアクチュエータ９を格納側に駆動し、アクチュエータ９は、ピニオン１７、扇形歯車１６を介してレジスタ本体１を、その空気吹出し口２０を格納する側に回動させる。
【００２８】
同時に、コントローラ７は、ダンパアクチュエータ６を制御し、ポップアップ用のアクチュエータ９がレジスタ本体１を格納する側に駆動する際、レジスタ本体１の空気吹出し口２０の開口面積が狭くなるに応じて、レジスタ本体１の空気吹出し口２０への送風量を徐々に低減するように制御する。
【００２９】
これにより、レジスタ本体１の空気吹出し口２０の開口面積が狭くなるに応じて、空気吹出し口２０への送風量が徐々に低減され、空気吹出し口２０の開口面積が最小となったとき、空気吹出し口２０への送風量も最小となり、空気吹出し口２０が完全に格納されたときには、ダンパ１２の開度を零にして閉鎖するように制御される。したがって、レジスタ本体１の空気吹出し口２０を格納する際の空気吹出し口の狭窄による風切り音の発生は防止される。
【００３０】
なお、上記実施形態では、ピニオン１７、扇形歯車１６を介して、レジスタ本体１をアクチュエータにより回動させたが、リンクやアームを使用してレジスタ本体１を回動させることもできる。
【００３１】
また、上記実施形態では、レジスタ本体１の格納時、その回動角度を角度センサ１０によって検出し、レジスタ本体１の回動角度に応じて、ダンパ１２の開度を徐々に絞るように制御したが、レジスタ本体１が突出した状態から格納完了時までに要する時間を、タイマーに予め設定しておき、タイマーの計時動作に応じて、ダンパ１２の開度を徐々に小さくするように制御することもできる。
【００３２】
さらに、上記実施形態では、ダンパアクチュエータによりダンパの開度を制御してレジスタ本体からの送風量を調整したが、送風用のブロワのブロワモータを制御してレジスタ本体からの送風量を調整することもできる。また、上記では、レジスタ本体を格納する際、送風量を下げるように調整したが、レジスタ本体を突き出す際には、突き出し動作の開始時に、一旦送風量を所定値まで減少させ、空気吹出し口の開度に応じて、徐々に送風量を増加させるように制御して、レジスタ本体の突き出し時の風切り音を抑えることができる。
【００３３】
【発明の効果】
以上説明したように、本発明の空気吹出調整用レジスタによれば、アクチュエータがレジスタ本体を格納する側または突き出す側に駆動する際、レジスタ本体の空気吹出し口への送風量を低減するように構成したから、レジスタ本体の空気吹出し口の格納時または突き出し時に、その狭窄された開口部を通過する空気の風速が増大することはなく、格納時や突き出し時に生じやすい風切り音の発生を防止することができる。
【図面の簡単な説明】
【図１】本発明の一実施形態を示す空気吹出調整用レジスタの格納時の斜視図である。
【図２】同空気吹出調整用レジスタの制御系を含む図１のＩＩ−ＩＩ断面構成図である。
【図３】同空気吹出調整用レジスタの突出時の斜視図である。
【図４】同空気吹出調整用レジスタの突出時の図３のＩＶ−ＩＶ断面図である。
【符号の説明】
１‐レジスタ本体
２‐パネル
３−格納部
４−送風ダクト
６−ダンパアクチュエータ
７‐コントローラ
８‐操作スイッチ
９−アクチュエータ
１０‐角度センサ
１２‐ダンパ
１５‐支持軸
２０‐空気吹出し口
【図１】
2004182125.tif 000003
【図２】
2004182125.tif 000004
【図３】
2004182125.tif 000005
【図４】
2004182125.tif 000006